(57)【要約】【課題】アームを安定に支持し、アームに加わる荷重によって無理な負荷が支点に加わることを防止し、アームを安定して旋回できるようにする。【解決手段】ピン４３で枢着されてＶ字型に開いた突張部材５０と振止部材６０との間に揺動部材４０を枢着する。揺動部材４０を、天井１３０のランプホルダ１２０に取り付けた固定部材２０に、枢支点を有する連結部材３０を介して振子運動自在に取り付ける。アーム１０を振止部材６０、揺動部材４０、突張部材５０の各挿通部６５、４５、５６に挿通して三角トラス７０ａ、７０ｂを形成する。アームの一端側１１を照明器具１１０を吊り下げる力点、揺動部材４０の支点ピン４４で支えられる中間部１３を支点、突張部材５０のピン５５で係止されるアーム端部を作用点とする。アームの作用点となる他端側１２にかかる力は延設された突張部材５０の他端５３に設けた当接部５４で天井１３０に伝える。アーム１０の他端にかかる力を突張部材５０を介して天井１３０で受けつつ、アーム１０を連結部材３０の枢支点を中心に旋回可能にする。【選択図】    図１
2004171839.tif 000002
【特許請求の範囲】
【請求項１】
照明器具などの物体を吊下げ可能な一端を力点とするアームと、
前記アームの支点となる中間部を壁等の被支持体に揺動自在に枢支する枢支手段と、
前記アームの作用点となる他端にかかる力を前記壁等の被支持体に伝える伝達手段と
を備え、前記アームの他端にかかる力を前記伝達手段を介して前記被支持体で受けつつ、前記アームを前記枢支手段の枢支点を中心に旋回可能にしたことを特徴とする物体吊下げ装置。
【請求項２】
一端側に照明器具などの物体を吊り下げるアームと、前記アームの他端側を壁等の被支持体に保持する保持部材とを備えた物体吊下げ装置において、前記保持部材は、
前記被支持体に着脱自在に取り付けられる固定部材と、
前記固定部材に一端が枢支され、中間に前記アームの他端側の中間を支持する支点を有し、他端が自由端となって、前記固定部材に枢支される枢支点の周りに振子運動可能な揺動部材と、
前記揺動部材の自由端となる他端に一端が枢着されて揺動部材に対して開閉自在となり、中間に前記アームの他端側の端部を係止する作用点を有し、他端に少なくとも２点で前記被支持体に接触可能な当接部を有する部材であって、前記揺動部材に対して開いて前記アームを前記作用点に係止したとき、前記アーム及び前記揺動部材とで三角トラスを構成する突張部材と
を備え、
前記アームを前記揺動部材の支点で支持させ前記突張部材の作用点に係止し、前記アームの力点となる一端側に照明器具などの物体を吊り下げて荷重を加えたときは、前記突張部材の作用点に作用する力で前記突張棒の当接部を前記被支持体に圧接させて、前記アームの荷重を前記被支持体で受けるようにし、前記アームの力点となる一端に加わる荷重を軽減したときは、前記突張棒の当接部が前記被支持体に接触可能な状態で、前記揺動部材及び前記突張部材とともに前記揺動部材の枢支点を中心に前記アームを前記被支持体と平行な面内で旋回可能となるようにした
ことを特徴とする物体吊下げ装置。
【請求項３】
前記突張部材の当接部が、前記作用点の近傍から略ハの字型に分岐されて延設された２つの他端に設けられている請求項２に記載の物体吊下げ装置。
【請求項４】
前記被支持体が室内の天井である請求項２又は３に記載の物体吊下げ装置。
【請求項５】
前記固定部材が前記室内の天井に取り付けられたソケットを介して着脱自在に取り付けられる請求項４に記載の物体吊下げ装置。
【請求項６】
請求項２に記載の物体吊下げ装置において、前記被支持体が室内の側壁であり、前記アームを支持する支点が前記揺動部材の支点に代えて前記揺動部材の他端と前記突張部材の一端とを枢着する枢着点となり、前記アームの作用点が前記突張部材の作用点に代えて前記揺動部材の支点となり、
前記揺動部材と前記突張部材とを連結し、前記揺動部材に対する前記突張部材の開き角度を前記突張部材の重量に抗して規制して、前記揺動部材及び前記突張部材とで三角トラスを構成するリンクをさらに設け、
前記アームを前記枢着点で支持させ前記揺動部材の支点に係止し、前記アームの力点となる一端側に照明器具などの物体を吊り下げて荷重を加えたときは、前記枢着点に作用する力で、前記揺動部材に対する開き角度が前記リンクで規制された前記突張棒の当接部を前記側壁に圧接させて、前記アームの荷重を前記側壁で受けるようにしたことを特徴とする物体吊下げ装置。
【請求項７】
前記アームが伸縮自在になっている請求項２ないし６のいずれかに記載の物体吊下げ装置。
【請求項８】
前記揺動部材の他端と前記突張部材の一端とを枢着した枢着点に、一端が枢着されて前記揺動部材に対して前記突張部材とは反対側に開閉自在となり、他端に前記アームを押える押え部材を有するアームの振動を抑制する部材であって、前記揺動部材に対して開いて前記押え部材で前記アームを押えたとき、前記アーム及び記揺動部材とで第２の三角トラスを構成する振止部材をさらに備えた請求項２ないし７のいずれかに記載の物体の吊下げ装置。
【請求項９】
前記揺動部材の一端が球面を有する連結部材で前記固定部材に枢支されている請求項２ないし８のいずれかに記載の物体吊下げ装置。
【発明の詳細な説明】
【０００１】
【発明の属する技術分野】
本発明は物体吊下げ装置に係り、特に照明器具を移動可能に吊り下げるのに適する物体吊下げ装置に関する。
【０００２】
【従来の技術】
従来、天井に吊下げたライトを空間的に移動させることが可能な吊下げ型保持具が知られている（例えば、特許文献１）。この保持具は、天井に取り付けられる垂直軸と、この垂直軸を中心に旋回が可能な水平レバーを備える。水平レバーは両側の任意の位置に、ライトを取り付けた伸縮自在の円筒体をそれぞれ装着できるように長みぞが設けられている。円筒体は、いずれも水平レバー上の取付部において、ユニバーサル式の回動が自由である。
【０００３】
【特許文献１】
実用新案登録第３０６１６３５号公報（段落番号０００９、図２）
【発明が解決しようとする課題】
しかしながら、上述した特許文献１に記載された保持具は、レバーの旋回範囲内でライトを移動できるものの、レバーの中間点を支持し、レバーの両側に円筒体を取付けるものであるため、ライトを含む円筒体の重さとレバーの取付位置でバランスを取る必要がある。また、天井に取り付けた垂直軸でのみレバーにかかる荷重を支えているため、天井に過度な力が加わり垂直軸が外れて保持具が落下するおそれがある。また、垂直軸を中心に水平レバーが旋回可能であるが、旋回時にバランスが崩れると、安定した旋回を得ることができず、レバーを安定に保持することができない。また、円筒体の取付け位置を変更するために、長みぞに沿って円筒体を移動するが、移動時に円筒体の荷重が加わるために、移動が円滑にいかない場合があり操作性が悪い等、多くの問題点があった。
【０００４】
本発明の課題は、上述した従来技術の問題点を解消して、アームを安定に支持し、アームに加わる荷重によって無理な負荷が支点に加わることを防止し、アームを安定して旋回することが可能な物体吊下げ装置を適用することにある。
【０００５】
【課題を解決するための手段】
第１の発明は、照明器具などの物体を吊下げ可能な一端を力点とするアームと、前記アームの支点となる中間部を壁等の被支持体に揺動自在に枢支する枢支手段と、前記アームの作用点となる他端にかかる力を前記壁等の被支持体に伝える伝達手段とを備え、前記アームの他端にかかる力を前記伝達手段を介して前記被支持体で受けつつ、前記アームを前記枢支手段の枢支点を中心に旋回可能にしたことを特徴とする物体吊下げ装置である。アームの作用点に加わる力を壁などの被支持体で受けるようにしたので、アームを安定に支持できる。また、アームを揺動自在に枢支したので、アームに加わる荷重によって無理な負荷が枢支手段に加わることを防止できる。また、アームの作用点に加わる力を壁等の被支持体で受けつつ、枢支手段の枢支点でアームの支点を枢支するようにしたので、枢支点を中心にアームを安定して旋回することができる。なお、揺動自在の揺動には、振子運動や回転運動も含まれる。また、アームの作用点となる他端にかかる力を壁等の被支持体に伝える伝達手段は、アームとは異なる部材で構成する他に、アームの他端で構成してアーム他端を直接壁等の被支持体に当接させる場合も含まれる。
第２の発明は、一端側に照明器具などの物体を吊り下げるアームと、前記アームの他端側を壁等の被支持体に保持する保持部材とを備えた物体吊下げ装置において、前記保持部材は、前記被支持体に着脱自在に取り付けられる固定部材と、前記固定部材に一端が枢支され、中間に前記アームの他端側の中間を支持する支点を有し、他端が自由端となって、前記固定部材に枢支される枢支点の周りに振子運動可能な揺動部材と、前記揺動部材の自由端となる他端に一端が枢着されて揺動部材に対して開閉自在となり、中間に前記アームの他端側の端部を係止する作用点を有し、他端に少なくとも２点で前記被支持体に接触可能な当接部を有する部材であって、前記揺動部材に対して開いて前記アームを前記作用点に係止したとき、前記アーム及び前記揺動部材とで三角トラスを構成する突張部材とを備え、前記アームを前記揺動部材の支点で支持させ前記突張部材の作用点に係止し、前記アームの力点となる一端側に照明器具などの物体を吊り下げて荷重を加えたときは、前記突張部材の作用点に作用する力で前記突張棒の当接部を前記被支持体に圧接させて、前記アームの荷重を前記被支持体で受けるようにし、前記アームの力点となる一端に加わる荷重を軽減したときは、前記突張棒の当接部が前記被支持体に接触可能な状態で、前記揺動部材及び前記突張部材とともに前記揺動部材の枢支点を中心に前記アームを前記被支持体と平行な面内で旋回可能となるようにしたことを特徴とする物体吊下げ装置である。
【０００６】
アームの一端側に物体を吊り下げると、先端側に重力方向の力が加えられるが、アームの他端側に重力方向と反対方向の力が加えられて突張部材の当接部を被支持体に押し付ける。被支持体に生じた重力方向の応力がアームの他端側に生じて、先端側に吊り下げた物体の重力と吊り合ってアームは安定支持される。重力に抗して物体を持ち上げ、アームの力点に加わる力を軽減して、アームの一端側を動かすと、軽く動かすだけで、枢支点を中心にアームは容易に旋回するので、物体の吊下げ位置を容易に変更できる。アームを振子運動可能に取り付けるので、アームを介して固定部材に多方向から力が加わっても、固定部材と被支持体との間に過度な力が加わらず、装置を安定に被支持体に保持できる。アームは枢支点を中心に旋回するが、このとき、突張部材の当接部が被支持体に当接した状態で旋回させることができるので、安定した旋回が可能となる。特に、アームを保持する構造に三角トラスを用いるので、アームを安定に保持することができる。
【０００７】
第３の発明は、第２の発明において、前記突張部材の当接部が、前記作用点の近傍から略ハの字型に分岐されて延設された２つの他端に設けられていることを特徴とする。当接部が略ハの字型に分岐されて延設された２つの他端に設けられているので、突張部材を被支持体に安定に当接できる。
【０００８】
第４の発明は、第２又は第３の発明において、前記被支持体が室内の天井であることを特徴とする。アームを天井から安定に支持でき、アームに加わる荷重によって無理な負荷が支点や天井に加わることを防止でき、アームを天井と平行な面内で安定して旋回することができる。また。天井から吊り下げる物体の吊下げ位置を変えることができる。
【０００９】
第５の発明は、第２〜第４の発明において、前記固定部材が前記室内の天井に取り付けられたソケットを介して着脱自在に取り付けられることを特徴とする。天井に特別な細工をすることなく、天井に取り付けられている既存のソケットを利用するだけで、固定部材を物体吊下げ装置を被支持体に支持させることも、被支持体から取り外すことも容易に行うことができる。
【００１０】
第６の発明は、第２の発明において、前記被支持体が室内の側壁であり、前記アームを支持する支点が前記揺動部材の支点に代えて前記揺動部材の他端と前記突張部材の一端とを枢着する枢着点となり、前記アームの作用点が前記突張部材の作用点に代えて前記揺動部材の支点となり、前記揺動部材と前記突張部材とを連結し、前記揺動部材に対する前記突張部材の開き角度を前記突張部材の重量に抗して規制して、前記揺動部材及び前記突張部材とで三角トラスを構成するリンクをさらに設け、前記アームを前記枢着点で支持させ前記揺動部材の支点に係止し、前記アームの力点となる一端側に照明器具などの物体を吊り下げて荷重を加えたときは、前記枢着点に作用する力で、前記揺動部材に対する開き角度が前記リンクで規制された前記突張棒の当接部を前記側壁に圧接させて、前記アームの荷重を前記側壁で受けるようにしたことを特徴とする。揺動部材に対する突張部材の開き角度を規制するリンクを設けたので、物体吊下げ装置を側壁にも取り付けることができる。
【００１１】
第７の発明は、第２ないし第６の発明において、前記アームが伸縮自在になっている物体吊下げ装置である。アームを伸縮自在とすることにより、アームの旋回軌跡の半径を拡大、縮小できるので、物体の吊下げ位置移動可能領域を拡大できる。
【００１２】
第８の発明は、第２ないし第７の発明において、前記揺動部材の他端と前記突張部材の一端とを枢着した枢着点に、一端が枢着されて前記揺動部材に対して前記突張部材とは反対側に開閉自在となり、他端に前記アームを押える押え部材を有するアームの振動を抑制する部材であって、前記揺動部材に対して開いて前記押え部材で前記アームを押えたとき、前記アーム及び記揺動部材とで第２の三角トラスを構成する振止部材をさらに備えた物体の吊下げ装置である。振止部材を枢着したので、アームの先端に加わる荷重が変動してもアームに発生する振動を有効に吸収できる。
【００１３】
第９の発明は、第２ないし第８の発明において、前記揺動部材の一端が球面を有する連結部材で前記固定部材に枢支されている物体吊下げ装置である。揺動部材が球面を有する連結部材で固定部材に枢支されているので、揺動部材の振子運動を容易に実現でき、アームを安定して旋回させることができる。
【００１４】
【発明の実施の形態】
以下に本発明に係る物体吊下げ装置の実施の形態を説明する。まず、物体吊下げ装置を天井に取り付けた第１の実施の形態を説明する。図１は物体吊下げ装置の斜視図を示す。
【００１５】
図１に示すように、物体吊下げ装置は、アーム１０とこれを支持する保持部材１００とから構成される。
【００１６】
アーム１０は、一端側１１に吊下げ物体としての照明器具１１０を吊り下げるためのフック１４を有し、他端側１２に抜止め防止用の係止具１５が取り付けられる。アーム１０は梃子を構成し、照明器具１１０を吊り下げる一端側１１のフック１４が力点になり、他端側１２の係止具１５の近傍が作用点となり、一端側１１と他端側１２との間の中間部１３が支点となる。アーム１０は、例えば、断面矩形、断面円形、チャネル状などの形をした部材１０ａ、１０ｂを２本、ないしそれ以上の本数を嵌め込むことによって伸縮自在となっている。
【００１７】
保持部材１００は、アーム１０の他端側１２を支持することによって被支持体としての天井１３０にアーム１０を保持する。保持部材１００は、ランプホルダ１２０を介して保持される。ランプホルダ１２０は天井１３０に固定された既存のソケットを利用することができる。
【００１８】
前記保持部材１００は、固定部材２０、連結部材３０、揺動部材４０、突張部材５０、振止部材６０から構成される。これらのうち、揺動部材４０、突張部材５０、振止部材６０及びアーム１０から三角トラス７０が形成される。
【００１９】
固定部材２０は、三角トラス７０を天井１３０のランプホルダ１２０に支持するための部材である。固定部材２０は、傾斜して対向する一対の側板２２、２２とこれらを連結する連結板２１とにより略八の字状に形成される。その開口した両端部に係止片２３を有し、連結板２１の中央には連結部材用の取付孔２４が形成されている。
【００２０】
固定部材２０を天井１３０のランプホルダ１２０に固定するには、開口した両端部を上にして、その両端部の係止片２３をランプホルダ１２０の被係止部に係止する。なお、固定部材２０の形状は略八の字状に限定されず形状は任意である。なお、固定部材２０の側板２２、２２には、係止した後必要に応じてネジ止めする場合に使用するドライバの軸逃がし用のスリット２５を設けるとよい。なお、固定部材２０を天井１３０のランプホルダ１２０から解除するには、ランプホルダ１２の被係止部から固定部材２０の係止片２３を外すだけでよい。
【００２１】
固定部材２０に揺動部材４０を連結する連結部材３０は、三角トラス７０の中核となる揺動部材４０を一点で枢支する。連結部材３０は、例えば球体３１とこれに固着された棒体３２とから構成される。球体３１が固定部材２０の連結板２１の内側に係止されるように、連結板２１の棒体３２を固定部材２０の連結板２１に設けた取付孔２４に挿通し、挿通した棒体３２はさらに揺動部材４０の連結板４１に設けた取付孔に挿通して揺動部材４０に固定する。これにより揺動部材４０は、固定部材２０に対して球体３１の球面を枢支点として連結されることになり、固定部材２０から吊り下げられた状態で枢支点の周りに振子運動が可能となる。
【００２２】
揺動部材４０は、三角トラス７０の中核をなす部材である。揺動部材４０は、対向する一対の側板４２、４２と、これらを連結する連結板４１とにより略コ字状に形成される。ここで略コ字形とはいえ、図示例では両側板４２が連結板４１の長さに比して５〜６倍程度長くなっている。連結板４１側が揺動部材４０の一端を、開口した両端側が揺動部材４０の他端を構成する。略コ字形の中空部は、アーム１０が挿通できる大きさとする。開口した両端部にこれらを連結する枢着ピン４３が設けられ、側板４２を連結する連結板４１の中央には連結部材３０が連結され、連結板寄りの両側部にはアーム支点用の支点ピン４４が取り付けられている。連結部材３０と支点ピン４４との間に形成される中空部がアーム１０を挿通する挿通部４５を構成する。
【００２３】
揺動部材４０を固定部材２０に取り付けるには、揺動部材４０の一端となる連結板４１を上にして固定部材２０に連結し、自由端となる開口した両端を下にして揺動部材４０を垂下させる。これにより揺動部材４０は、固定部材２０に枢支されて枢支点の周りに振子運動が可能となる。アーム１０の他端側１２を揺動部材４０の連結板４１と支点ピン４４との間に形成された挿通部４５に挿通することにより、アーム１０は揺動部材４０に支持されて旋回可能となる。
【００２４】
突張部材５０は、アーム１０にかかる荷重を天井１３０で受け止める部材である。突張部材５０は、揺動部材４０の側板４２よりも長尺な２枚の対向する一対の板材５１、５１から構成される。突張部材５０は、枢着部となる一端５２から一対の板材５１、５１を平行に延在し、延在方向は変えずに、アーム作用点となる中間部付近からハの字に折り曲げて拡開し、開いたままでさらに延在させるように形成する。拡開された２つの他端５３、５３には、天井１３０に押し当てられる当接部５４、例えば球形状の緩衝材を有する。また、ハの字に開く手前の突張部材５０の平行延在部分には複数箇所、例えば２箇所ピン５５で止められて、２枚の板材５１、５１を連結するようになっている。このピン５５はアーム１０の作用点となる。突張部材５０を揺動部材４０に取り付けるには、揺動部材４０の他端に突張部材５０の一端５２をピン４３で枢着して、天井１３０面と垂直な面内で揺動部材４０に対して揺動自在ないし開閉自在とする。換言すれば、枢着ピン４３を軸に突張部材５０が回動して、突張部材５０を揺動部材４０に近づく方向に閉じたり、揺動部材４０から離れる方向に開いたりできるようにする。突張部材５０の他端を揺動部材４０に対して三角トラス７０を形成するように開いて、揺動部材４０の挿通部４５に挿通したアーム１０の他端側１２を、突張部材５０のピン５５手前の２枚の板材５１、５１間の挿通部５６に挿通する。挿通したアーム１０は、これに設けた係止具１５で突張部材５０の板材５１に係止して、板材５１、５１間から抜けないようにする。なお、アーム１０を傾けて挿通すれば、係止具１５を付けた状態でアーム１０は挿通できるようになっている。挿通したアーム１０を下方からピン５５に当接させて、突張部材５０を押し上げると、ピン５５がアーム１０の作用点となって、突張部材５０を突っ張らせ、他端５３の当接部５４、５４を天井１３０に当接させる。突張部材５０は、アーム１０が挿通された状態で、アーム１０の他端側１２で揺動部材４０と連結されて、アーム１０の他端側１２、揺動部材４０とで第１の三角トラス７０ａを構成する。
【００２５】
なお、ここでは、天井１３０に当接する突張部材５０の当接部５４を、離間した箇所に点状に２箇所設けるようにしたが、これに限定されない。天井１３０に安定に当接させるためには、当接部は少なくとも２点であればよく、例えば３点以上であっても、さらには線状、あるいは面状に設けてもよい。
【００２６】
振止部材６０は、アーム１０を押えてアーム１０の振動を抑制するために設けられる。振止部材６０は、アーム１０を挿通可能な間隔で平行に保持された対向する一対の板材６１、６１を有する。板材６１の長さは突張部材５０の平行延在部分くらいとする。振止部材６０は、一端６２、６２が揺動部材４０の他端に突張部材５０と重ねてピン４３で枢着され、他端６３、６３にアーム１０を押える押え部材６４、例えば円形ゴムパッキンを設けて構成される。振止部材６０は、ピン枢着により、天井１３０面と垂直な面内で揺動部材４０に対して揺動自在ないし開閉自在となる。振止部材６０の他端６３を揺動部材４０に対して第２の三角トラス７０ｂを形成するように開いて、アーム１０を振止部材６０の板材６１、６１間に形成される挿通部６５に挿入し、さらに揺動部材４０の挿通部４５及び突張部材５０の挿通部５６に挿通して、アーム１０の他端側１２を突張部材５０のピン５５に作用点として係止させ、揺動部材４０の支点ピン４４に支持させると、振止部材６０の押え部材６４がアーム１０を上方から押し下げて、アーム１０の振動を吸収できるようになっている。
【００２７】
上述した固定部材２０、連結部材３０、揺動部材４０は、アーム１０の支点となる中間部１３を壁等の被支持体に揺動自在に枢支する枢支手段を構成する。また上述した突張部材５０は、アーム１０の作用点となる他端５３にかかる力を壁等の被支持体に伝える伝達手段を構成する。
【００２８】
ここで、アーム１０を保持部材１００で保持している状態形成される三角トラス７０（７０ａ、７０ｂ）の形状を説明する。図示するように、鉛直方向を向いた揺動部材４０を境として２つの三角トラス７０ａ、７０ｂが略線対称に形成されている。一方の三角トラス７０ａは鉛直方向を向いた揺動部材４０と、鋭角状に開いた突張部材５０と、水平方向に延びたアーム１０とから構成される。他方の三角トラス７０ｂは、揺動部材４０の反対側に一方の三角トラス７０ａが形成される面と同一面内に形成されて、揺動部材４０と、突張部材５０と反対方向に鋭角状に開いた振止部材６０と、アーム１０とから構成される。
【００２９】
中心位置にある揺動部材４０に対して突張部材５０及び振止部材６０をＶ字型に開き、アーム１０を振止部材６０、揺動部材４０、突張部材５０の各挿通部６５、４５、５６に挿通して、三角トラス構造を形成する。アーム１０の力点となる先端側１１に照明器具などの物体１１０を吊り下げて荷重を加えたときは、三角トラス７０を構成する突張部材５０の当接部５４を天井１３０に圧接させて、アーム１０の荷重を天井１３０面で受けるようにする。アーム１０の力点となる先端側１１に加わる荷重を軽減したとき、揺動部材４０及び突張部材５０とともに、固定部材２０との枢支点（球体付根の球面）を中心にアーム１０を天井１３０と平行な面内で旋回可能となるように構成される。
【００３０】
次に、上述した主要部材の詳細を図２を用いて説明する。
【００３１】
ここでは天井に取り付けられるランプホルダ１２０として、ナショナル（商標）の偏平なランプホルダ（型式承認番号４１−１５５９６）１２１（図２（ａ））、又は、凸状のランプホルダ（型式承認番号４１−１５０６３）１２２（図２（ｂ））を使用する。これは３ｋｇ程度の重量物を支持することが可能である。このランプホルダ１２１、１２２は略円形をしており、直径方向の外周両側に一対の凸状係止部１２３、１２３を備えている。この凸状係止部１２３は、図示例ではフック１２４で構成される。
【００３２】
特に、図２（ａ）、（ｂ）に示すような上記型式のランプホルダ１２１、１２２にあっては、これらを天井１３０に取り付けたときに天井１３０とフック１２４との間に形成される隙間１３１が非常に狭い。このため、このフック１２４に取り付ける固定部材として、図８に示すような１枚の板材を屈曲成形した固定部材２０Ａを使ってもよいが、これでは固定部材２０Ａの係止片２３としての孔付係合片２３Ａを隙間１３１に滑り込ませて、フック１２４に孔付係合片２３Ａの孔２６Ａを係合することが難しい。１枚板では変形に限界があるからである。因みに、図８に示す固定部材２０Ａを説明すれば、その開口両端を内側に少し折り返し、その折返し部に凹条の係止片２３としての孔２６Ａを有する孔付係合片２３Ａが形成されている。この固定部材２０Ａをランプホルダに係合するには、固定部材２０Ａの開口端部を拡開してランプホルダに対して係脱するが、固定部材２０Ａに汎用性をもたせてその係脱を容易にするために、ここでは、略八の字形固定部材２０Ａは、その側板２２Ａが連結板２１Ａから両端開口部に向けてを斜めに拡開するように立上げて構成してある。
【００３３】
前述したように狭い隙間１３１に対して係脱を有効とするために、図２（ｂ）、（ｃ）に示すように、固定部材２０を、複数枚の板材をシリアルに枢着して略八字形に組み立て、略八字形の開口部を上方に向け、形を上下方向にくずすことにより、略コ字形の開口部の幅を任意に変えられる構成とするとよい。すなわち、固定部材２０は、連結板２１と、連結板２１の両側に一端を開閉自在に枢着した一対の側板２２、２２と、側板２２、２２の他端に枢着された係止片２３、２３とから構成される。連結板２１には連結部材３０を取り付けるための連結用の取付孔２４が形成され、係止片２３にはランプホルダ１２１、又は１２２のフック１２４に引っ掛ける孔２６が形成される。
【００３４】
このような固定部材２０をランプホルダに取り付けるには、固定部材２０を全体に持ち上げて、両側板２２、２２を大きく開き、各側板他端に枢着された各係止片２３、２３を水平にして対向させたときの係止片２３、２３間の間隔が、一対のフック１２４、１２４を含むランプホルダの外径よりも大きくなるようにする。天井１３０に沿って係止片２３を天井１３０とランプホルダ１２１、１２２のフック１２４との隙間１３１に挿入し、各係止片２３の孔２６に各フック１２４を引っ掛ける。引っ掛けた後、固定部材２０を離すと、固定部材２０は、自重で略八字状になってランプホルダ１２１、１２２から吊り下げられる。両側板２２間の開き角度（傾斜角度）はランプホルダ１２１、１２２の外径によって決まる。
【００３５】
上述した図２（ｂ）の実施の形態では、固定部材２０をランプホルダ１２０の外周から吊り下げる場合について説明したが、固定部材２０は新規受け金物として、図２（ｄ）のように、外周のみならず、ランプホルダ１２３の中央から吊り下げる場合にも適用可能である。この場合、吊り部材２７を追設する必要がある。吊り部材２７は円板２８と円板面に垂直に設けた垂下板２９とから構成される。垂下板２９の下端を係止片２３、２３で挟んで固定する。垂下板２９を下にして、天井１３０と平行となるように円板２８をランプホルダ１２３の係止部材１２５で係止し、側板２２、２２を閉じた形にしてランプホルダ１２３から固定部材２０を吊り下げる。すると、固定部材２０の形状は連結板２１を底辺とする略三角形となる。
【００３６】
一方、連結部材３０は、図２（ｂ）又は（ｄ）に示すように、その球体３１が固定部材２０の連結板２１に設けた取付孔２４に嵌合することによって支承されており、球体３１から延出した棒体３２が揺動部材４０の連結板にねじ止めなどの手段４６により固着されて、固定部材２０と揺動部材４０とを連結している。ここで、球体３１を支承する取付孔２４の外周縁を、外側から見て、固定部材２０の内側に絞るように凹ませ、取付孔２４に挿通される棒体３２とのクリアランスを大きくすることによって、単に打抜いた取付孔と比べて、連結部材３０の揺動角度を拡大している。
【００３７】
図３にアーム１０の詳細図を示す。なお、ここではアーム他端側１２に設ける抜止め防止用の係止具１５は、図１に示すようにローラ止め具ではなく、フックで構成してある。図３（ａ）に示すように、アーム１０は、断面矩形の外側パイプ１０ａに断面コの字形チャネル材１０ｂを嵌め込むことによって伸縮自在としてある。先端側１１のフック１４は可撓性のある部材で構成する。このフック１４には、略コの字形掛金１６が開口端を中心に回動自在に取り付けられる。掛金１６を回転してフック１４の開口部の外側に嵌め込んでフック１４の開口を閉じたり、その嵌込みを解除してフック１４の開口を開いたりできるようになっている。掛金１６を嵌めると、フック１４に引っ掛けられた照明器具のコードが可撓性部材で構成されたフック１４の腹部間に挟着されてフック１４から離脱しないように固定される。また、掛金１６はフック１４をすぼめることで、容易に外すことができる。アーム１０の他端側１２には、係止具１５としての非可撓性フックが取り付けられる。非可撓性フックは開口部が先端部方向を向いた略半円形をしており、アーム１０の他端を突張部材５０の作用点となるピン５５に引っ掛けるときは、アーム１０を突張部材５０の挿通部５６に斜めに挿入して、アーム他端側１２の係止具１５を突張部材５０のピン５５の下にくぐらせて、アーム１０の姿勢を水平に戻すことで、アームを係止具１５に係止するようになっている。
【００３８】
また、図３（ｂ）に示すように、アーム１０を構成する断面コの字形チャネル材１０ｂは、その開口を上にして外側パイプ１０ａにはめ込まれる。そのチャネル材１０ｂが、外側パイプ１０ａから抜け落ちないように、外側パイプ１０ａにストッパ１７が取り付けられている。アームの外側パイプ１０ａの先端寄りに、その長さ方向に縦長の窓１８を開ける。そこにストッパ１７を取り付ける。ストッパ１７は、上部バー１７ａ、下部バー１７ｂ、上部バー１７ａ及び下部バー１７ｂをつなぐ中間ロッド１７ｃを有して略エの字形をしている。ストッパ１７は、その中間ロッド１７ｃを窓１８に挿通して窓１８の外側に上部バー１７ａを出し、窓１８の内側に下部バー１７ｂを納めるようにして外側パイプ１０ａに取り付ける。また、断面コの字形チャネル材１０ｂの基端部には、チャネル材空間を塞ぐ当接部材１９がはめ込まれて固定され、当接部材１９がストッパ１７の下部バー１７ｂに当接するようになっている。したがって、チャネル材１０ｂを外側パイプ１０ａから引き抜こうととすると、チャネル材１０ｂにはめ込まれた当接部材１９にストッパ１７が当たって、ストッパ１７をチャネル材１０ｂの引き出し方向に移動させるが、上部バー１７ａが窓１８に引っ掛かって、その移動を阻止する。これにより、チャネル材１０ｂはそれ以上引き出されることが防止される。
【００３９】
図４に示すように、アーム１０には、電気コード１１１を保持するためのクリップ８０を着脱自在に取り付ける。クリップ８０は、例えば、１本の連続した針金を折り曲げて形成している。具体的には、水平に延ばした針金を左右対称に折り曲げて中央で交差させることにより、交差部８１を頂点とするリング部８２を下方に形成する。このリング部８２の交差部８１から上方に向けて一度外向きに迂回させた略コ字形の腕部８３を形成する。腕部８３は、リング部８２の左右斜め上方に針金を延在させて立上げた立上り部８３ａと、更に立上り部８３ａから針金を対向して交差させた水平部８３ｂと、この水平部８３ｂから更に延在する針金端を下方に折り曲げた係止部８３ｃとから構成される。このように構成した上で、各腕部８３をリング部８２が形成する面に対して前後方向に開いて、互いに離反するように距離をとる。
【００４０】
このように構成されたクリップ８０は、その腕部８３、８３がアーム１０の２箇所に抱き付くように取り付けられ、適宜間隔をおいてアーム１０に沿って複数個取り付けられる。アーム１０に取り付けられた複数のリング部８２内に電気コードが挿通されて支持される。
【００４１】
また、図５に示すように、揺動部材４０に設けられた支点ピン４４は、揺動部材４０の長手方向に一列に設けた複数のピン孔４７に沿って移動できるようにしてある。すなわち、複数のピン孔４７はピン孔４７の径よりも小さい幅をもつスリット４８で連通されている。ピン孔４７に挿通される支点ピン４４は、筒体４４ａと、筒体４４ａの両端からそれぞれ筒体４４ａ内に抜けないように遊嵌される棒状の係止ピン４４ｂ、４４ｂとから構成される。各棒状の係止ピン４４ｂの筒体４４ａから出ている突出部４４ｃは、軸方向に半割りにされて断面略半円形をしている。さらに、断面略半円形をした突出部４４ｃの半円底部を切除して突出部４４ｃの厚さを薄くし、前記スリット４８を通過可能としている。
【００４２】
支点ピン４４を移動するには、係止ピン４４ｂをピン孔４７内で回転して、係止ピン４４ｂをスリット４８の向きに合わせて、スリット４８を通過させ、隣のピン孔４７に滑り込ませる。このようにしてアーム１０の支点を移動させることができる。
【００４３】
ここで、上述した構成部材の具体例をあげれば、材料はアルミニウム、プラスチックス、又は木材等である。
【００４４】
図６に示す各部の具体的寸法は次の通りである。
2004171839.tif 000003
上述した構成による物体吊下げ装置の作用を説明する。
【００４５】
図１に示すように物体吊下げ装置を組み立てて天井１３０から吊り下げる。まず、固定部材２０と揺動部材４０とを連結部材３０によって連結する。揺動部材４０には予め突張部材５０及び振止部材６０を枢着しておく。揺動部材４０が連結された固定部材２０を天井１３０に設けたランプホルダ１２０に係止する。このとき、揺動部材４０に枢着された突張部材５０と振止部材６０とは揺動部材４０から重力方向にはぶら下がった状態にある。ぶら下がった突張部材５０及び振止部材６０を起こして、振止部材６０、揺動部材４０、及び突張部材５０の各挿通部６５、４５、５６にアーム１０を挿通して係止具１５でピン５５に係止する。アーム１０の挿通により三角トラス７０が形成され、アーム１０は揺動部材４０の支点ピン４４によって支持され、アーム１０の一端側１１が力点、突張部材５０のピン５５がアーム１０の作用点となる。
【００４６】
このようにして天井１３０から吊り下げたアーム１０は他端側１２の中間部１３で揺動部材４０に設けた支点ピン４４で支えられる。支点ピン４４で支えられたアーム１０の一端側１１に、ランプホルダ１２０から引き回した電気コード１１１を介して照明器具１１０を吊り下げる。すると、アーム一端側１１に重力方向の力が加えられるが、アーム１０の他端側１２に重力方向と反対方向の力が加えられて、突張部材５０の当接部５４を天井１３０に押し付ける。天井１３０への押し付けは２点接触なので、安定して行われる。天井１３０に生じた重力方向の応力がアーム１０の他端側１２に生じて、アーム一端側１１に吊り下げた照明器具１１０の重力と吊り合って照明器具１１０は安定支持される。また、保持部材１００が振子運動する揺動部材４０によって支持されるとともに、振止部材６０がアーム１０に加わる振動が抑制されることによって、照明器具１１０はより安定に支持される。また、アーム１０に加わる荷重が急になくなっても、振止部材６０の存在によりアーム１０の跳ね上がりを有効に防止することができる。
【００４７】
重力に抗して照明器具１１０を持ち上げ、アーム１０の力点に加わる力を軽減すると、軽減した分、突張部材５０による天井１３０への押し付け力も軽減される。したがって、アーム１０の一端側１１を軽く動かすだけで、アーム１０は、天井１３０に接触する当接部５４がガイドとなり、枢支点を中心に安定して旋回する。このため、アーム１０が旋回可能な水平面内における照明器具１１０の吊下げ位置を容易に変更できる。
【００４８】
物体吊下げ装置の取付け箇所は、ランプホルダ１２０が取り付けられた天井１３０の１箇所だけである。したがって装置の取付けが容易である。また、装置を着脱自在に取り付けるために、不要なときは取り外すことができる。アーム１０を旋回可能に取り付けるので、アーム１０の旋回軌跡上の任意に位置から照明器具１１０を吊り下げることができる。アーム１０を揺動可能に取り付けるので、アーム１０を介して固定部材２０に加わる力が緩和され、固定部材２０と天井１３０との間に過度な力が加わらず、装置を安定に天井１３０に保持できる。アーム１０は枢支点を中心に旋回するが、このとき、突張部材５０の当接部５４が天井１３０に当接した状態で旋回するので、当接部５４がガイドとしての役割を果たし、安定した旋回が可能となる。アーム１０を保持する構造に三角トラス７０を用いているので、アーム１０を安定に保持することができる。
【００４９】
また、当接部５４が支点を中心に両側にハの字型に開いているので、突張部材５０を天井１３０に安定に当接できる。天井１３０から吊り下げる照明器具１１０の吊下げ位置を任意に変えることができる。天井１３０に特別な細工をすることなく、天井１３０に取り付けられている既存のランプホルダ１２０等のソケットを利用するだけで、固定部材２０を物体吊下げ装置を天井１３０に支持させることも、天井１３０から取り外すこともできる。アーム１０を伸縮自在とすることにより、アーム１０の旋回軌跡の半径を拡大、縮小できるので、照明器具１１０の吊下げ領域を拡大できる。振止部材６０を枢着したので、アーム１０の先端に加わる荷重が変動してもアーム１０に発生する振動を有効に吸収できる。揺動部材４０を固定部材２０に枢支する手段に球面継手を用いたので、揺動部材４０の回転と揺動とを容易に実現できる。さらに、天井に取り付けた装置を下から見上げると、アームが胴体で、突張部材の拡開部が胴体から生えた羽根にたとえることができ、ちょうど羽根を開いた飛翔体のようにイメージできるので、審美性も備える。
【００５０】
つぎに、図７を用いて物体吊下げ装置を側壁に取り付けた第２の実施の形態を説明する。側壁１４０への取付は、第１の実施の形態の装置をそのまま使用でき、これにリンク９０を追加するだけで可能である。
【００５１】
側壁１４０に設けたランプホルダ１２０に連結部材３０を介して揺動部材４０を取り付けることにより、揺動部材４０、突張部材５０及び振止部材６０からなる保持部材１００を側壁１４０に取り付ける。アーム１０は振止部材６０及び揺動部材４０の各挿通部６５、４５に挿通する。突張部材５０を拘束しないで自由にしておくと、突張部材５０は重力方向にぶら下がってしまい、３部材４０、５０、６０の枢着したピン４３が支点として機能しなくなる。そこで、揺動部材４０に突張部材５０をリンク９０で連結して、突張部材５０を側壁１４０と３部材の枢着ピン４３との間で突っ張らせるようにして、ピン４３に加わるアーム荷重を側壁１４０で支持させる。リンク９０はターンバックルで構成するとよい。
【００５２】
側壁支持の場合は、アーム１０の支点と作用点が天井支持の場合と異なる。天井支持では、揺動部材４０の支点ピン４４がアーム支点であり、突張部材５０のピン５５が作用点であったが、側壁支持では、揺動部材４０の支点ピン４４はアームの作用点となり、３部材の枢着ピン４３がアームの支点となる。また、保持部材１００の三角トラス形状も異なる。天井支持では、揺動部材４０を中心に突張部材５０と振止部材６０とが揺動部材４０の両側に鋭角状に開いた形状となり、３部材４０、５０、６０にアーム１０を通すことで、揺動部材４０を共有した隣り合わせの２つの三角形が形成される。しかし、側壁支持では、揺動部材４０に対する突張部材５０の角度は鋭角であるが、揺動部材４０に対する振止部材６０の角度は鈍角となる。また、第１の三角トラス７０ａは揺動部材４０、振止部材６０及びアーム１０とで構成されるが、第２の三角トラス７０ｂは揺動部材４０、突張部材５０、及びリンク９０で構成される。
【００５３】
このように構成された側壁支持の装置の作用は、突張部材５０を介してアーム１０の荷重が支持される点を除いて、天井支持のものと同じである。なお、側壁支持の場合でも、アーム１０の旋回は可能であるが、旋回中心から突張部材５０の当接点までの距離を半径とした円を描いて旋回するため、略旋回中心に存在するアーム１０は軸回りに旋回することになるから、アーム一端側１１の移動距離が少なく、照明器具１１０の移動には余り意味をなさない。また、突張部材５０が旋回軌跡の下方以外の上方地点では、重力によって突張部材５０がひっくり返ってしますため、突張部材５０を固定する必要がある。さらに突張部材５０が上方に来ると、アーム１０が揺動部材４０の支点ピン４４から外れてしまうため、アーム保持手段が別途必要になる。したがって、アーム１０の旋回はあまり意味がない。
【００５４】
なお、上述した側壁は垂直壁でも斜壁でもよい。また、アームに吊り下げる物体として照明器具を例に挙げて説明したが、これに限定されない。例えば、鉢植えや鳥篭、その他の装飾品であってもよい。また、振止部材は必須ではないが、あると好ましく、アームが長くなる程、振止めの効果を発揮する。
【００５５】
また、三角トラスを構成する揺動部材、突張部材、振止部材は、アームを挿通するために基本的には平行平板で構成しているが、アームの支点、作用点、押え点を備えれば、これに限定されない。
【００５６】
【発明の効果】
本発明によれば、アームを安定に支持し、アームに加わる荷重によって無理な負荷が支点に加わることを防止し、アームを安定して旋回することができる。したがって、照明器具などの物体を安定して移動可能に吊り下げることができる。
【図面の簡単な説明】
【図１】第１の実施の形態による物体吊下げ装置の斜視図である。
【図２】第１の実施の形態による取付部の詳細な説明図である。
【図３】第１の実施の形態によるアームの詳細な説明図である。
【図４】第１の実施の形態によるクリップの詳細な説明図である。
【図５】第１の実施の形態による枢支ピンの詳細な説明図である。
【図６】第１の実施の形態による装置の寸法説明図である。
【図７】第２の実施の形態による物体吊下げ装置の斜視図である。
【図８】他の実施の形態による固定部材の斜視図である。
【符号の説明】
１０    アーム
１１    アームの一端側（力点）
１２    アームの他端側
１３    アームの他端側の中間
１５    アームの係止具
２０    固定部材
３０    連結部材
３１    連結部材の球体（枢支点）
４０    揺動部材
４１    揺動部材の連結板（揺動部材の一端）
４４    支点ピン（支点）
５０    突張部材
５２    突張部材の一端
５３    突張部材の他端
５４    突張部材の当接部
５５    ピン（作用点）
７０    三角トラス
７０ａ  第１の三角トラス
７０ｂ  第２の三角トラス
１００  保持部材
１１０  照明器具などの物体
１３０  天井（壁等の被支持体）
【図１】
2004171839.tif 000004
【図２】
2004171839.tif 000005
【図３】
2004171839.tif 000006
【図４】
2004171839.tif 000007
【図５】
2004171839.tif 000008
【図６】
2004171839.tif 000009
【図７】
2004171839.tif 000010
【図８】
2004171839.tif 000011